(57)【特許請求の範囲】
【請求項１】
一端が弾頭形状に形成され、その先端中心に噴煙口が形成された合成樹脂製の弾状部材、及び、前記弾状部材の他端に接続され、前記弾状部材よりも大きな比重を有する蓋部材を有し、その内部に発煙剤を収容する発煙剤収容部と、
液溶性および／または液崩性の封止材で封止された貫通孔を有し、前記蓋部材に、前記貫通孔が前記発煙剤収容部に連通するように、装着された液導入部と、
前記蓋部材に接続され、前記発煙剤を発煙させる点火部とを有してなることを特徴とする自沈機能付き発煙筒。
【請求項２】
前記合成樹脂が発泡スチロールであり、前記蓋部材が鉄鋼製である請求項１に記載の自沈機能付き発煙筒。
【発明の詳細な説明】
【０００１】
【産業上の利用分野】
この発明は自沈装置、発煙筒および自沈筒体に関し、さらに詳しくは、海上や湖沼などの液面に一定時間浮かんだ後に自ら沈むことができ、構造が簡単で取り扱い易く、各種装置に好適に応用することができる自沈装置、海上や湖沼などの液面に一定時間浮かんだ後に自ら沈むことができて海上や湖沼における浮遊障害物にならず、しかも構造が簡単な発煙筒、および、一定時間海上や湖沼などの液面に浮かんだ後に液中に沈める必要のある前記自沈装置や発煙筒に容易に装着することのできる、簡単な構造の自沈筒体に関する。
【０００２】
【従来の技術と発明が解決しようとする課題】
船舶の沈没、難破、航空機の墜落等の緊急事故時に海上に投下される発煙筒や照明筒は、海上で浮遊しつつ、一定時間発煙あるいは照明し続ける。この発煙や照明を目印に空中あるいは海上から捜索することにより、短時間で事故現場が確認され、迅速な救助活動が行われる。発煙等の目印がない場合、広大な海の中、短時間で事故現場を確認するのは容易ではない。救助に要する時間は、人命に関わる重大な問題である。このため従来から、船舶や航空機等には発煙筒等の装置が掲載されている。
【０００３】
しかしながら、従来の発煙筒や照明筒は、一定時間経過して発煙あるいは照明しなくなった後においても、海上に浮遊し続ける。海上に浮遊する使用済の発煙筒や照明筒はゴミであり、船舶の航行を妨害するだけでなく、船体を傷つける原因ともなる。したがって、使用済の発煙筒や照明筒を海上に放置しておくのは好ましくない。その一方、広い海の中、使用済の発煙筒や照明筒を一々回収するのは容易ではない。
【０００４】
この発明は、このような事情の下になされ、前記従来における問題を解決することを目的とする。この発明は、海上や湖沼などの液面に一定時間浮かんだ後に自ら沈むことができ、構造が簡単で取り扱い易く、各種装置に好適に応用することができる自沈装置を提供することを目的とする。この発明は、海上や湖沼などの液面に一定時間浮かんだ後に自ら沈むことができて海上や湖沼における浮遊障害物にならず、しかも構造が簡単な発煙筒を提供することを目的とする。この発明は、一定時間海上や湖沼などの液面に浮かんだ後に液中に沈める必要のある前記自沈装置や発煙筒に容易に装着することのできる、簡単な構造の自沈筒体を提供することを目的とする。
【０００５】
【課題を解決するための手段】
前記課題を解決するための発明は以下の通りであり、
請求項１は、一端が弾頭形状に形成され、その先端中心に噴煙口が形成された合成樹脂製の弾状部材、及び、前記弾状部材の他端に接続され、前記弾状部材よりも大きな比重を有する蓋部材を有し、その内部に発煙剤を収容する発煙剤収容部と、液溶性および／または液崩性の封止材で封止された貫通孔を有し、前記蓋部材に、前記貫通孔が前記発煙剤収容部に連通するように、装着された液導入部と、前記蓋部材に接続され、前記発煙剤を発煙させる点火部とを有してなることを特徴とする自沈機能付き発煙筒であり、
請求項２は、前記合成樹脂が発泡スチロールであり、前記蓋部材が鉄鋼製である請求項１に記載の自沈機能付き発煙筒である。
【０００６】
【作用】
第１の発明の自沈装置は以下のように作用する。すなわち、自沈装置を液に浮かせる。液と自沈装置における封止材とが接触する。液により封止材が溶解および／または崩壊する。封止材で封止されていた貫通孔が液流通可能に貫通する。貫通孔から液収容部内に液が流入し、脱気口から液収容部内の空気が脱気される。液収容部内が液で充填される。自沈装置が液中に沈む。
【０００７】
第２の発明の自沈装置は以下のように作用する。すなわち、自沈装置を液に浮かせる。液と自沈装置における封止材とが接触する。液により封止材が溶解および／または崩壊する。封止材で封止されていた開口部が液流通可能に開口する。開口部から液収容部内に液が流入し、脱気口から液収容部材の空気が脱気される。液収容部内が液で充填される。自沈装置が液中に沈む。
【０００８】
第３の発明の発煙筒は以下のように作用する。すなわち、発煙筒を液に浮かせる。液と発煙筒における封止材とが接触する。点火部が発煙剤収容部内に収容された発煙剤を発煙させる。発煙剤の発煙による煙が噴煙口から噴出する。発煙剤の発煙により発煙剤収容部内が中空になる。液により発煙筒における封止材が溶解および／または崩壊する。封止材で封止されていた貫通孔が液流通可能に貫通する。貫通孔から発煙剤収容部内に液が流入し、噴煙口から発煙剤収容部内の空気が脱気される。発煙剤収容部内が液で充填される。発煙筒が液中に沈む。
【０００９】
第４の発明の自沈筒体は以下のように作用する。この自沈筒体はその一端が対象物に装着可能に形成されているので、この自沈筒体をたとえば発煙筒等に装着する。そして、この発煙筒を液面に投下する。発煙筒に装着されている筒体が液に接触し、その他端開口部を封止している液溶性および／または液崩性の封止材が液により溶解ないし液崩していく。発煙筒体が発煙を終了した頃合いに、前記封止剤が完全に液に溶解ないし崩壊して筒体が完全な貫通状態になる。この貫通状態になった筒体を通じて液が対象物に侵入し、対象物が沈む。
【００１０】
【実施例】
（実施例１）
以下、第１の発明の自沈装置の実施例について図面を参照しながら説明する。図１は、この発明の自沈装置の一実施例を示す断面概略説明図である。
【００１１】
図１に示す自沈装置１は、液導入部３と液収容部４とを有してなる。
【００１２】
液導入部３は、管状の部材であり、貫通孔３ａを有する。液導入部３は鉄鋼製である。貫通孔３ａの一端開口部は、水溶性および／または液崩性の封止材２で封止される。封止材２は、硫酸銅を固結してなり、貫通孔３ａの内径と同じ大きさの外径を有する円盤形状に形成される。
【００１３】
ここで、この液導入部３と前記封止剤２とで第４の発明の自沈筒体が構成される。さらに述べると、この第４の発明の自沈筒体は、液導入部３であるところの、貫通孔３ａを有する筒体と、この筒体の貫通孔３ａを封止する水溶性および／または液崩性の封止材２とを有し、この筒体の一端がたとえば液収容部４という対象物に装着可能に形成されてなる。この実施例では、筒体の他端は、液収容部４の底面に螺合により装着されている。
【００１４】
なお、この筒体の他端を対象物に装着可能に形成するには、螺合手段に限らず、溶接、嵌合、接着剤による接着などの手段を採用することができる。
【００１５】
液収容部４は、弾状部材５と蓋部材６とを有する。弾状部材５は、円筒形状の部材であり、貫通孔５ａを有する。弾状部材５の一端は弾頭形状に形成され、その先端中心には貫通孔５ａに連通する脱気口５ｂが小さく形成されている。弾状部材５は発泡スチロール製である。蓋部材６は、前記弾状部材５の外径と同じ長さの外径を有する円盤形状の部材である。蓋部材６は鉄鋼製である。蓋部材６は、弾状部材５における脱気口５ｂの形成されていない端面に接着剤により一体的に接続される。なお、蓋部材６と弾状部材５との接続は、接着剤を用いる場合に限られず、螺合、溶接、嵌合などの手段を採用することができる。
【００１６】
この実施例において、液導入部３すなわち第４の発明の自沈筒体は、液導入部３における開口端が蓋部材６を貫通するようにして、液収容部４に一体的に接続される。
【００１７】
実施例１の自沈装置１は以下のように作用する。たとえば、自沈装置１を海上に投下する。自沈装置１は海上に浮遊する。自沈装置１における液導入部３側は、液導入部３および蓋部材６が鉄鋼製で形成され、海水よりも比重が大きいので、海中に浸漬する。海水と液導入部３における封止材２とが接触する。一方、自沈装置１における脱気口５ｂ側は海面より浮上する。封止材２が海水により溶解する。封止材２で封止されていた液導入部材３における貫通孔３ａが液流通可能に貫通する。貫通孔３ａから液収容部４内に液が流入し、脱気口５ｂから液収容部４内の空気が脱気される。液収容部４内が海水で充填される。自沈装置１は、液導入部３側を下にして海底に沈んでいく。
【００１８】
実施例１における自沈筒体は以下のように作用する。この自沈筒体すなわち液導入部３は、その一端が対象物である液収容部４に螺合可能に形成されているので、この自沈筒体を液収容部４に装着する。そして、これを海上に投下する。この自沈筒体は鉄鋼製で形成され、海水よりも比重が大きいので海中に浸漬する。海水と自沈筒体における封止材２とが接触する。自沈筒体における封止材２が海水により溶解ないし液崩していく。自沈筒体における貫通孔３ａが完全な貫通状態になる。この貫通孔３ａを通じて海水が対象物である液収容部４に侵入し、液収容部４を沈ませる。
【００１９】
実施例１の自沈装置１は、海上や湖沼などの液面に一定時間浮かんだ後に自ら沈むことができ、構造が簡単で取り扱い易く、発煙筒や照明筒などの各種装置に好適に応用することができる。実施例１における自沈筒体は、一定時間海上や湖沼などの液面に浮かんだ後に液中に沈める必要のある前記自沈装置や発煙筒に容易に装着することができる。
【００２０】
（実施例２）
以下、第２の発明の自沈装置の実施例について図面を参照しながら説明する。図２は、この発明の自沈装置の一実施例を示す断面概略説明図である。
【００２１】
図２に示す自沈装置１１は、液収容部１４および封止材１２を有してなる。
【００２２】
液収容部１４は、弾状部材１５と蓋部材１６とを有する。弾状部材１５は、円筒形状の部材であり、貫通孔１５ａを有する。弾状部材１５の一端は弾頭形状に形成され、その先端中心には貫通孔１５ａに連通する脱気口１５ｂが小さく形成されている。弾状部材１５は発泡スチロール製である。蓋部材１６は、前記弾状部材１５の外径と同じ長さの外径を有する肉厚の円盤形状の部材である。蓋部材１６には、開口部１６ａが形成されている。蓋部材１６は鉄鋼製である。蓋部材１６は、弾状部材１５における脱気口１５ｂの形成されていない端面に接着剤により一体的に接続される。なお、蓋部材６と弾状部材５との接続は、接着剤を用いる場合に限られず、螺合、溶接、嵌合などの手段を採用することができる。
【００２３】
封止材１２は、硫酸銅を固結してなり、開口部１６ａの内径と同じ大きさの外径を有する円盤形状に形成される。封止材１２は、開口部１６ａを封止する。
【００２４】
第２の発明の自沈装置１１は以下のように作用する。たとえば、自沈装置１１を海上に投下する。自沈装置１１は海上に浮遊する。自沈装置１１における蓋部材１６側は鉄鋼製で形成され、海水よりも比重が大きいので、海中に浸漬する。海水と封止材１２とが接触する。一方、自沈装置１１における脱気口１５ｂ側は海面より浮上する。封止材１２が海水により溶解する。封止材１２で封止されていた開口部１６ａが液流通可能に開口する。開口部１６ａから液収容部１４内に液が流入し、脱気口１５ｂから液収容部１４内の空気が脱気される。液収容部１４内が海水で充填される。自沈装置１１は、蓋部材１６側を下にして海底に沈んでいく。
【００２５】
実施例２の自沈装置１１は、海上や湖沼などの液面に一定時間浮かんだ後に自ら沈むことができ、構造が簡単で取り扱い易く、発煙筒や照明筒などの各種装置に好適に応用することができる。
【００２６】
（実施例３）
以下、第３の発明の発煙筒の実施例について図面を参照しながら説明する。図３は、この発明の発煙筒の一実施例を示す断面概略説明図である。
【００２７】
図３に示す発煙筒２１は、液導入部２３と発煙剤収容部２４と点火部２７とを有してなる。
【００２８】
液導入部２３は、管状の部材であり、貫通孔２３ａを有する。液導入部２３は鉄鋼製である。貫通孔２３ａの一端開口部は、水溶性および／または液崩性の封止材２２で封止される。封止材２２は、硫酸銅を固結してなり、貫通孔２３ａの内径と同じ大きさの外径を有する円盤形状に形成される。
【００２９】
発煙剤収容部２４は、弾状部材２５と蓋部材２６とを有する。弾状部材２５は、円筒形状の部材であり、貫通孔２５ａを有する。弾状部材２５の一端は弾頭形状に形成され、その先端中心には貫通孔２５ａに連通する脱気口２５ｂが小さく形成されている。貫通孔２５ａ内には、発煙剤２４ａが収容される。弾状部材２５は発泡スチロール製である。蓋部材２６は、前記弾状部材２５の外径と同じ長さの外径を有する円盤形状の部材である。蓋部材２６は鉄鋼製である。蓋部材２６は、弾状部材２５における脱気口２５ｂの形成されていない端面に接着剤により一体的に接続される。なお、蓋部材２６と弾状部材２５との接続は、接着剤を用いる場合に限られず、螺合、溶接、嵌合などの手段を採用することができる。
【００３０】
この実施例において液導入部２３は、液導入部２３における開口端が蓋部材２６を貫通するようにして、発煙剤収容部２４に螺合により一体的に接続される。なお、液導入部２３を発煙剤収容部２４に接続するには、螺合手段に限らず、溶接、嵌合、接着剤による接着などの手段を採用することができる。
【００３１】
点火部２７は、海水電池２７ａと導線２７ｂと点火薬２７ｃとを有する。海水電池２７ａは、蓋部材２６における、液導入部２３が突出する側に接続される。海水電池２７ａは、海水と接触すると電流が流れる。導線２７ｂは、蓋部材２６を貫通し、海水電池２７ａと発煙剤収容部２４内に収容される点火薬２７ｃとを接続する。導線２７ｂは、海水電池２７ａに生じた電流を点火薬２７ｃに伝達する。点火薬２７ｃは、発煙剤収容部２４内において発煙剤２４ａと接触するように配置される。点火薬２７ｃは、導線２７ｃにより導かれた海水電池２７ａの電流により発火し、発煙剤２４ａを発煙させる。
【００３２】
実施例３の発煙筒２１は以下のように作用する。たとえば、発煙筒２１を海上に投下する。発煙筒２１は海上に浮遊する。発煙筒２１における液導入部２３側は、液導入部２３および蓋部材２６が鉄鋼製で形成され、海水よりも比重が大きいので、海中に浸漬する。海水と封止材２２および海水電池２７ａとが接触する。一方、発煙筒２１における噴煙口２５ｂ側は海面より浮上する。海水電池２７ａに海水が接触すると、電流が生ずる。この電流が導線２７ｂにより点火薬２７ｃに伝達される。点火薬２７ｃがこの電流により発火し、発煙剤２４ａを発煙させる。発煙剤２４ａによる煙が、発煙剤収容部２４内に充満し、噴煙口２５ｂから噴出する。噴煙口２５ｂから煙が噴出されなくなる頃合いに、封止材２２が海水により溶解する。封止材２２で封止されていた液導入部材２３における貫通孔２３ａが液流通可能に貫通する。貫通孔２３ａから発煙剤収容部２４内に液が流入し、噴煙口２５ｂから発煙剤収容部２４内の空気が脱気される。発煙剤収容部２４内が海水で充填される。発煙筒２１は、液導入部２３側を下にして海底に沈んでいく。
【００３３】
実施例３の発煙装置２１は、海上や湖沼などの液面に一定時間浮かんだ後に自ら沈むことができて海上や湖沼における浮遊障害物にならず、しかも構造が簡単で取り扱い易い。
【００３４】
（変形例）
この発明は、前記実施例に何ら限定されるものではなく、目的に応じてたとえば以下のような変形を行うことができる。
【００３５】
この発明の自沈装置は、実施例１の自沈装置のように自沈筒体を用いても良く、あるいは実施例２の自沈装置のように自沈筒体を用いず、自沈装置の一部に開口部を形成してもよい。さらには、自沈筒体と開口部とを組み合わせて用いてもよい。
【００３６】
前記自沈筒体および／または開口部の数としては、目的に応じて適宜選択することができるが、通常は１〜２個であり、１個が好ましい。
【００３７】
自沈筒体すなわち液導入部は、管状の部材であれば特に制限はなく、直管であってもよいし、あるいは曲管であってもよい。自沈筒体すなわち液導入部における貫通孔の大きさ、形状等については特に制限はなく、目的に応じて適宜選択することができる。
【００３８】
液導入部の材質としては、液の種類に応じて適宜決定すればよいが、液中に浸漬するのに十分な比重、すなわち液よりも大きな比重の材質であるのが好ましい。前記材質としては、たとえば鉄鋼、銅、合金等の金属、セラミックス、複合材料などを挙げることができる。
【００３９】
液導入部の一端は、対象物に接続可能に形成されている。たとえば、螺合による場合にはねじ山が形成されている。なお、自沈筒体と対象物との接続は、螺合に限らず、溶接、嵌合、接着剤による接着などの手段を採用することができる。
【００４０】
封止材は、水溶性および／または液崩性であれば特に制限はない。
【００４１】
前記水溶性の封止材としては、たとえば硫酸銅、塩化カルシウムなどの各種塩を固結してなる封止材、糖類等の親水性置換基を有する化合物を固結してなる封止材などを挙げることができる。これらは１種単独で用いてもよく、あるいは２種以上を組み合わせて用いてもよい。液が水または水溶液であるときは、これらの中でも塩を固結してなる封止材、親水性置換基を有する化合物を固結してなる封止材が好ましく、特に硫酸銅を固結してなる封止材は液に良好な溶解性を示すので好ましい。
【００４２】
前記液崩性の封止材は、液と接触することにより、その形態を保持することができなくなり崩壊する性質を有していれば特に制限はなく、たとえば炭酸カルシウム、砂、木粉、殻粉などを固結してなる封止材、貝殻等の破片や砂等を水溶性接着剤で固めてなる封止材などを挙げることができる。これらは１種単独で用いてもよく、あるいは２種以上を組み合わせて用いてもよい。液が河川等の水または海水であるときは、これらの中でも環境汚染の観点から、砂を固結してなる封止材や貝殻の破片を水溶性接着剤で固結してなる封止材が好ましい。
【００４３】
封止材の大きさ、形状、構造、厚み等は、自沈装置を液上に浮遊させておく時間、前記貫通孔または開口部の形状、自沈装置の使用目的等に応じて適宜決定することができる。
【００４４】
対象物すなわち液収容部の形状としては、たとえば棒状、円柱、角柱等の柱状、立方体、直方体等の方体状、真球、楕円球等の球状などをはじめ、目的に応じて各種の形状を選択することができる。
【００４５】
液収容部は、内部が中空に形成され、脱気口を有していれば、その構造、大きさ等につき特に制限はなく、単一の部材で形成されていてもよいし、あるいは複数の部材で形成していてもよい。なお、液収容部は、液導入部が設けられる部分付近、あるいは開口部が形成される部分付近が、他の部分よりも比重が大きくなっているのが好ましい。この場合、液導入部や開口部を液中に浸漬することができ、液と封止材とを確実に接触させることができるからである。
【００４６】
液収容部内の中空形状および脱気口の形状、構造、大きさ等についても目的に応じて適宜選択することができる。脱気口の数は通常１〜２個であり、好ましくは１個である。１個の場合、封止材が溶解および／または崩壊するまでの間は、その脱気口から内部には液が浸入しないからである。
【００４７】
液収容部の材質としては、特に制限はなく、目的に応じて適宜決定することができる。たとえば、発泡スチロールをはじめとする各種合成樹脂を挙げることができる。
【００４８】
この発明の自沈装置は、構造が簡単で取り扱い易く、液に一定時間浮かんだ後に沈む、という自沈機能を有する。このため、使用済み装置が河川の水や海水等の液上に浮遊することがなく、航行を妨害することもない。
【００４９】
この発明の自沈筒体は、発煙筒や照明筒をはじめ、海上花火台、仕掛け網などの装置、器具に接続して使用してもよいし、あるいは、液収容部自体を発煙筒や照明筒などに形成し、自沈機能付き発煙筒あるいは照明筒などとして使用してもよい。たとえば前記海上花火台に接続すると、海上で花火を打ち上げる際、海上に打ち上げ設備を建築しなくても、この海上花火台をリモコン操作で適当な場所に移動させて花火を打ち上げることができる。打ち上げ終了後の海上花火台は、海底に沈むので航行の妨害原因になることはない。また、仕掛け網に接続すると、この仕掛け網は海上に投下後すぐに海底に沈まず、一定時間後に沈むので有利である。すなわち、船から仕掛け網を海上に投下すると、その際、船のエンジンから発せられる振動、乱流等により、海底生物は危険を察知し、巣穴に戻ってしまう。その結果、仕掛け網に獲物があまりかからないことが多い。ところが、この自沈筒体を接続した仕掛け網は、船が遠くに去った後で海底に沈んでいくので上記弊害がない。
【００５０】
この発明の発煙筒において、液導入部は上記自沈装置におけるのと同様の変更を加えることができる。発煙剤収容部は、上記自沈装置における液収容部と同様の変更を加えることができる。
【００５１】
点火部としては、発煙剤を発煙させる機能を有していればよく、前記海水電池、導線および点火薬の組み合わせに限られず、たとえば時限発火装置などを用いることもできる。
【００５２】
発煙剤としては、発煙することができれば特に制限はなく、目的に応じて適宜選択することができるが、たとえば塩素酸カリウムとミジン粉と澱粉と必要に応じて添加する色剤との組み合わせや、赤リン系の発煙剤などを挙げることができる。
【００５３】
前記色剤としては、以下のものを好適に挙げることができる。赤色煙の場合には、ピグメントレッド・１、ベージュバイオレット・１０、パラレッド、オイルレッド、ローダミンなどを挙げることができる。これらの中でも、ピグメントレッド・１とベージュバイオレット・１０との組み合わせが好ましい。青色煙の場合には、ピグメントブルー・１５、バットブルー、フタロシアニンブルー、インジゴなどを挙げることができる。これらの中でも、ピグメントブルー・１５とバットブルーとの組み合わせが好ましい。黄色煙の場合には、オイルイエローなどを挙げることができる。黒色煙の場合には、アントラセン、過塩素酸カリウム、ピッチなどを挙げることができる。
【００５４】
この発明の発煙筒は、液に一定時間浮かんだ後に沈むことができ、構造が簡単で取り扱い易い。このため、使用後に海上に浮遊することがなく、航行を妨害することもない。
【００５５】
【発明の効果】
この発明によると、海上や湖沼などの液面に一定時間浮かんだ後に自ら沈むことができ、構造が簡単で取り扱い易く、各種装置に好適に応用することができる自沈装置を提供することができる。また、海上や湖沼などの液面に一定時間浮かんだ後に自ら沈むことができて海上や湖沼における浮遊障害物にならず、しかも構造が簡単な発煙筒を提供することができる。さらに、一定時間海上や湖沼などの液面に浮かんだ後に液中に沈める必要のある前記自沈装置や発煙筒に容易に装着することのできる、簡単な構造の自沈筒体を提供することができる。
【図面の簡単な説明】
【図１】図１は、この発明の自沈装置の一実施例を示す断面概略説明図である。
【図２】図２は、この発明の自沈装置の他の実施例を示す断面概略説明図である。
【図３】図３は、この発明の発煙筒の一実施例を示す断面概略説明図である。
【符号の説明】
１・・・自沈装置、２・・・封止材、３・・・液導入部、３ａ・・・貫通孔、４・・・液収容部、５・・・弾状部材、５ａ・・・貫通孔、５ｂ・・・脱気口、６・・・蓋部材、１１・・・自沈装置、１２・・・封止材、１４・・・液収容部、１５・・・弾状部材、１５ａ・・・貫通孔、１５ｂ・・・脱気口、１６・・・蓋部材、１６ａ・・・開口部、２１・・・発煙筒、２２・・・封止材、２３・・・液導入部、２３ａ・・・貫通孔、２４・・・発煙剤収容部、２４ａ・・・発煙剤、２５・・・弾状部材、２５ａ・・・貫通孔、２５ｂ・・・噴煙口、２６・・・蓋部材、２７・・・点火部、２７ａ・・・海水電池、２７ｂ・・・導線、２７ｃ・・・点火薬
【図１】
0003675525.tif 000002
【図２】
0003675525.tif 000003
【図３】
0003675525.tif 000004